(57)【要約】【課題】受信装置内部で発生するノイズによる影響を低減することができる放送信号の受信装置及び受信方法を提供する。【解決手段】メモリ３０に予め記憶した出力レート設定テーブル３０に基づいて、受信したチャネル信号に対応する最適ＴＳ出力レートの制御情報をＣＰＵ２６がＯＦＤＭ−ＬＳＩ２４に送信し、ＯＦＤＭ−ＬＳＩ２４は最適出力レートを設定し、設定した最適出力レートにより信号を送信する。【選択図】図１
2009094641.tif 000002
【特許請求の範囲】
【請求項１】
放送信号を受信するチューナ手段及び前記チューナ手段より入力される前記放送信号を変調した変調放送信号を出力する通信手段を備えたフロントエンド手段と、
前記通信手段により出力された前記変調放送信号に基づく情報が出力機器から出力されるように制御する出力制御手段と、
前記通信手段が前記変調放送信号を出力する出力レートの最適値を、前記放送信号のチャネル毎に設定する最適出力レート設定手段と、
前記出力レート設定手段により設定された最適出力レートに基づいて前記通信手段を制御する出力レート制御手段と、
を備えたことを特徴とする受信装置。
【請求項２】
前記フロントエンド手段がシールドされたことを特徴とする請求項１に記載の受信装置。
【請求項３】
前記チューナ手段がシールドされたことを特徴とする請求項１または請求項２に記載の受信装置。
【請求項４】
前記チャネル毎に最適な出力レートを予め記憶した最適出力レート記憶手段を備えており、
前記最適出力レート設定手段は、前記最適出力レート記憶手段が予め記憶した最適出力レートに基づいて、最適値を設定し、
前記出力制御手段は、前記出力レート制御手段を兼用することを特徴とする請求項１から請求項３の何れか１項に記載の受信装置。
【請求項５】
前記チャネル毎に最適な出力レートを予め記憶した最適出力レート記憶手段を前記フロントエンド手段内に備えており、
前記最適出力レート設定手段は、前記最適出力レート記憶手段が予め記憶した最適出力レートに基づいて、最適値を設定し、
前記出力レート制御手段は、前記通信手段に含まれることを特徴とする請求項１から請求項４の何れか１項に記載の受信装置。
【請求項６】
前記最適出力レート設定手段は、前記チューナ手段より前記通信手段に入力される前記放送信号の品質情報を出力レート毎に取得し、取得した前記品質情報に基づいて、最適値を設定することを特徴とする請求項１から請求項５の何れか１項に記載の受信装置。
【請求項７】
前記チューナ手段より前記通信手段に入力される前記放送信号の安定状態を判定する判定手段を備え、
前記出力レート設定手段は、前記判定手段により前記放送信号の安定状態が良好であると判定された場合に、前記品質情報取得し、取得した前記品質情報に基づいて前記最適値を設定することを特徴とする請求項６に記載の受信装置。
【請求項８】
前記出力レート設定手段は、前記チューナ手段が前記放送信号の受信中に所定の時間毎に前記最適値を設定することを特徴とする請求項６または請求項７に記載の受信装置。
【請求項９】
フロントエンド手段に備えられた前記チューナ手段により放送信号を受信する放送信号受信ステップと、
前記フロントエンド手段に備えられた通信手段により前記チューナ手段より入力される前記放送信号を変調した変調放送信号を出力する変調放送信号出力ステップと、
出力制御手段により前記通信手段により出力された前記変調放送信号に基づく情報が出力機器から出力されるように制御する出力機器制御ステップと、
最適出力レート設定手段により前記通信手段が前記変調放送信号を出力する出力レートの最適値を、前記放送信号のチャネル毎に設定する最適出力レート設定ステップと、
出力レート制御手段により前記出力レート設定手段により設定された最適値に基づいて前記通信手段を制御する出力レート制御ステップと、
を備えたことを特徴とする受信方法。
【請求項１０】
前記最適出力レート設定ステップは、前記チャネル毎に最適な出力レートを予め記憶した最適出力レート記憶手段が記憶している最適出力レートに基づいて、最適値を設定することを特徴とする請求項９に記載の受信方法。
【請求項１１】
前記最適出力レート設定ステップは、前記チューナ手段より前記通信手段に入力される前記放送信号の品質情報を出力レート毎に取得し、取得した前記品質情報に基づいて、最適出値を設定することを特徴とする請求項９または１０に記載の受信方法。
【発明の詳細な説明】
【技術分野】
【０００１】
本発明は、受信装置及び受信方法に関し、特に受信装置内部で発生するノイズによる影響を低減することができる放送信号の受信装置及び受信方法に関する。
【背景技術】
【０００２】
一般に、通称ワンセグと呼ばれる地上デジタルテレビジョン放送のモバイル向け放送がある。
【０００３】
このような放送信号やデータを受信する受信装置において、信号やデータの授受の際に、様々なノイズの影響を受けるため、特性劣化を引き起こすという問題がある。
【０００４】
ファクシミリにおける上記問題に対して、外部から受信されたデータのＥＱＭ（アイ・クオリティ・モニタ）値を取得し、格納しているテーブルからＥＱＭ値に基づいてデータの伝送速度をしておき、伝送速度を補正する技術が知られている（例えば、特許文献１及び特許文献２参照）。
【０００５】
また光データ通信ネットワークにおける上記問題に対して、一定時間毎に通信状態の監視を繰り返し、検出した状態に基づいて信号の伝送速度の変更を行なう技術が知られている（例えば、特許文献３参照）。
【特許文献１】特開２０００−３１２２４２号公報
【特許文献２】特開平１０−２４８００６号公報
【特許文献３】特開２００７−３６６０７号公報
【発明の開示】
【発明が解決しようとする課題】
【０００６】
一方、上記したようにワンセグ放送では、理論値として達成可能な−１１２ｄＢｍに対し、−１１０ｄＢｍ（１セグメント換算）という数値を出しているが、受信装置内で発生するノイズが遙かに大きい状態である。図１０にワンセグ放送を受信する受信装置として携帯電話８０の概略構成を示す。携帯電話８０では、アンテナ８６を介してチューナＬＳＩ８２が受信した放送信号を復調、復合し、それを映像や音声等の情報として出力するインターフェイスであるＴＳインターフェイス８４等が存在する。
【０００７】
携帯電話８０内部、特に受信フロントエンド部（モジュール）が強く影響を受ける部分でのノイズの発生はこのＴＳインターフェイス８４等の出力バスの変化等によるものである。このように内部で発生するノイズに対処するために、ドライブ能力をさげることやドライブ能力を実装環境に合わせて可変することが行なわれているが、チューナＬＳＩ８２の入出力等の周波数にＴＳインターフェイス８４の高調波が丁度のってしまうと、ノイズによる影響を低減できない場合があるという、問題点があった。
【０００８】
本発明は、上記問題点を解消するためになされたもので、受信装置内部で発生するノイズによる影響を低減することができる放送信号の受信装置及び受信方法を提供することを目的とする。
【課題を解決するための手段】
【０００９】
請求項１に記載の受信装置は、放送信号を受信するチューナ手段及び前記チューナ手段より入力される前記放送信号を変調した変調放送信号を出力する通信手段を備えたフロントエンド手段と、前記通信手段により出力された前記変調放送信号に基づく情報が出力機器から出力されるように制御する出力制御手段と、前記通信手段が前記変調放送信号を出力する出力レートの最適値を、前記放送信号のチャネル毎に設定する最適出力レート設定手段と、前記出力レート設定手段により設定された最適出力レートに基づいて前記通信手段を制御する出力レート制御手段と、を備えたことを特徴とする。
【００１０】
請求項２に記載の受信装置は、請求項１に記載の受信装置において、前記フロントエンド手段がシールドされたことを特徴とする。
【００１１】
請求項３に記載の受信装置は、請求項１または請求項２に記載の受信装置において、前記チューナ手段がシールドされたことを特徴とする。
【００１２】
請求項４に記載の受信装置は、請求項１から請求項３の何れか１項に記載の受信装置において、前記チャネル毎に最適な出力レートを予め記憶した最適出力レート記憶手段を備えており、前記最適出力レート設定手段は、前記最適出力レート記憶手段が予め記憶した最適出力レートに基づいて、最適値を設定し、前記出力制御手段は、前記出力レート制御手段を兼用することを特徴とする。
【００１３】
請求項５に記載の受信装置は、請求項１から請求項４の何れか１項に記載の受信装置において、前記チャネル毎に最適な出力レートを予め記憶した最適出力レート記憶手段を前記フロントエンド手段内に備えており、前記最適出力レート設定手段は、前記最適出力レート記憶手段が予め記憶した最適出力レートに基づいて、最適値を設定し、前記出力レート制御手段は、前記通信手段に含まれることを特徴とする。
【００１４】
請求項６に記載の受信装置は、請求項１から請求項５の何れか１項に記載の受信装置において、前記最適出力レート設定手段は、前記チューナ手段より前記通信手段に入力される前記放送信号の品質情報を出力レート毎に取得し、取得した前記品質情報に基づいて、最適値を設定することを特徴とする。
【００１５】
請求項７に記載の受信装置は、請求項６に記載の受信装置において、前記チューナ手段より前記通信手段に入力される前記放送信号の安定状態を判定する判定手段を備え、前記出力レート設定手段は、前記判定手段により前記放送信号の安定状態が良好であると判定された場合に、前記品質情報取得し、取得した前記品質情報に基づいて前記出最適値を設定することを特徴とする。
【００１６】
請求項８に記載の受信装置は、請求項６または請求項７に記載の受信装置において、前記出力レート設定手段は、前記チューナ手段が前記放送信号の受信中に所定の時間毎に前記最適値を設定することを特徴とする。
【００１７】
請求項９に記載の受信方法は、フロントエンド手段に備えられた前記チューナ手段により放送信号を受信する放送信号受信ステップと、前記フロントエンド手段に備えられた通信手段により前記チューナ手段より入力される前記放送信号を変調した変調放送信号を出力する変調放送信号出力ステップと、出力制御手段により前記通信手段により出力された前記変調放送信号に基づく情報が出力機器から出力されるように制御する出力機器制御ステップと、最適出力レート設定手段により前記通信手段が前記変調放送信号を出力する出力レートの最適値を、前記放送信号のチャネル毎に設定する最適出力レート設定ステップと、出力レート制御手段により前記出力レート設定手段により設定された最適値に基づいて前記通信手段を制御する出力レート制御ステップと、を備えたことを特徴とする。
【００１８】
請求項１０に記載の受信方法は、請求項９に記載の受信方法において、前記最適出力レート設定ステップは、前記チャネル毎に最適な出力レートを予め記憶した最適出力レート記憶手段が記憶している最適出力レートに基づいて、最適値を設定することを特徴とする。
【００１９】
請求項１１に記載の受信方法は、請求項９または１０に記載の受信方法において、前記最適出力レート設定ステップは、前記チューナ手段より前記通信手段に入力される前記放送信号の品質情報を出力レート毎に取得し、取得した前記品質情報に基づいて、最適値を設定することを特徴とする。
【発明の効果】
【００２０】
請求項１及び請求項９に記載の本発明によれば、フロントエンド手段に備えられた通信手段から変調放送信号を出力する出力レートを最適出力レートに設定し、当該最適出力レートに基づいて出力されるよう制御するので、受信装置内部で発生するノイズによる影響を低減することができる、という効果が得られる。
【００２１】
請求項２に記載の本発明によれば、フロントエンド手段がシールドされているので、ノイズによる影響、例えば、出力機器に信号を伝送する高速伝送信号線等により発生するノイズによる影響を防止することができる、という効果が得られる。
【００２２】
請求項３に記載の本発明によれば、チューナ手段がシールドされているので、ノイズによる影響、例えば、出力機器に信号を伝送する高速伝送信号線等により発生するノイズによる影響を防止するのに好ましい、という効果が得られる。
【００２３】
請求項４に記載の本発明によれば、チャネル毎に最適な出力レートを予め記憶した最適出力レート記憶手段を備えるので、記憶されている最適出力レートに基づいて最適レートが設定でき、出力制御手段は、出力レート制御手段を兼用するため、速やかに最適出力レートの設定及び制御を行なうことができる、という効果が得られる。
【００２４】
請求項５に記載の本発明によれば、チャネル毎に最適な出力レートを予め記憶した最適出力レート記憶手段を備えるので、記憶されている最適出力レートに基づいて最適レートが設定でき、出力レート制御手段は、通信手段に含まれるため、フロントエンド手段内部で速やかに最適出力レートの設定及び制御を行なうことができる、という効果が得られる。
【００２５】
請求項６に記載の本発明によれば、チューナ手段より通信手段に入力される放送信号の品質情報を出力レート毎に取得し、取得した品質情報に基づいて、最適出力レートを設定するので、放送信号の品質状態に合わせてリアルタイムに最適出力レートの設定及び制御を行なうことができる、という効果が得られる。
【００２６】
請求項７に記載の本発明によれば、チューナ手段より通信手段に入力される前記放送信号の安定状態を判定する判定手段を備え、放送信号の安定状態が良好である場合に品質情報に基づいて最適出力レートに設定するので、より正確に最適出力レートの設定及び制御を行なうことができる、という効果が得られる。
【００２７】
請求項８に記載の本発明によれば、放送信号の受信中に所定の時間毎に最適出力レートを設定することができるので、受信中にノイズが変化した場合においても変化したノイズの影響に合わせて最適出力レートの設定及び制御を行なうことができる、という効果が得られる。
【００２８】
請求項１０に記載の本発明によれば、チャネル毎に最適な出力レートを予め記憶した出力レート記憶手段が記憶している出力レートに基づいて、最適出力レートを設定するので、速やかに最適出力レートの設定及び制御を行なうことができる、という効果が得られる。
【００２９】
請求項１１に記載の本発明によれば、チューナ手段より通信手段に入力される放送信号の品質情報を出力レート毎に取得し、取得した品質情報に基づいて、最適出力レートに設定するので、放送信号の品質状態に合わせてリアルタイムに最適出力レートの設定及び制御を行なうことができる、という効果が得られる。
【発明を実施するための最良の形態】
【００３０】
［第１の実施の形態］
以下、図面を参照して本発明の実施の形態を詳細に説明する。図１は、本実施の形態に係る受信装置１０の概略構成の一例を示す構成図である。なお、本実施の形態では受信装置が携帯電話である場合について説明しているが、図１では説明に必要な部分のみ記載している。
【００３１】
本実施の形態に係る受信装置１０は、チューナＬＳＩ２２とＯＦＤＭ−ＬＳＩ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ−ＬＳＩ、直交周波数分割多重集積回路）２４とを含む受信フロントエンド部（モジュール）２０、ＣＰＵ２６、メモリ２８、及びアンテナ３６を備えて構成されている。
【００３２】
チューナＬＳＩ２２はアンテナ３６により入力された放送信号を受信し、ＯＦＤＭ−ＬＳＩ２４はチューナＬＳＩ２２から出力された放送信号を復調及び複合し、映像、音声及び字幕等の情報としてＣＰＵ２６にＴＳ（Ｔｒａｎｓｐｏｒｔ  Ｓｔｒｅａｍ）Ｉ／Ｆ（以下、ＴＳインターフェイス、と言う）３２により出力する。
【００３３】
ＣＰＵ２６はメモリ２８に予め記憶されているチャネル毎のＴＳ出力レート設定テーブル（以下、出力レート設定テーブル、と言う）３０に基づいて放送信号のチャネルに対応したＴＳ出力レートを設定する制御情報をＯＦＤＭ−ＬＳＩに信号線３４により送信する。また、ＣＰＵ２６は入力されたＯＦＤＭ−ＬＳＩ２４から入力された信号に基づいてカメラ、マイク、ＤＳＰ、及びスピーカ等（いずれも図示省略）の出力機器に映像、音声及び字幕等の情報を出力（表示）させるように制御する。さらに、本実施の形態の受信装置（携帯電話）１０では、ＣＰＵ２６は装置全体を制御する。
【００３４】
メモリ２８には出力レート設定テーブル３０が予め記憶されている。なお、出力レート設定テーブル３０は、後述するＭＥＲ値や、ＳＮＲ値や、ＢＥＲ値等を既存の出力信号解析ソフトやシグナルレベルメータ等により放送信号のチャネル毎に最適となるＴＳ出力レートを予め得て、テーブルとしたものである。なお、ＭＥＲ値の算出については第３の実施の形態に詳細を後述する。なお、最適なＴＳ出力レートとは、例えば、ノイズによる影響が最も少ない信号が得られたときのＴＳ出力レートである。
【００３５】
次に、図２を参照して、本実施の形態の受信装置１０の動作を説明する。図２は、受信装置１０におけるＴＳ出力レート設定動作を説明するためのフローチャートである。なお、本実施の形態のＴＳインターフェイス３２は、必要な最低レート以上であれば、間欠的に信号（データ）を出力することによりインターフェイスをとることができる。
【００３６】
ＴＳ出力レート設定動作がスタートすると、まずステップ１００では、アンテナ３６を介してチューナＬＳＩ２２によりチャネルＡを受信する。次のステップ１０２では、ＣＰＵ２６がメモリ２８の出力レート設定テーブル３０から読出したチャネルＡ用ＴＳ出力レートをＯＦＤＭ−ＬＳＩ２４に出力し、ＯＦＤＭ−ＬＳＩ２４の出力レートを設定する。
【００３７】
次のステップ１０４では、チューナＬＳＩ２２の受信チャネルをチャネルＡに設定し、次のステップ１０６では、放送信号の受信を開始し、本処理を終了する。
【００３８】
なお、図２に示したフローチャートでは、チャネルＡを受信する場合について説明したがこれに限らず、他のチャネルを受信した場合においても同様に、各チャネル毎にＴＳ出力レートの設定を行なえばよい。このように本実施の形態では、ノイズによる影響を各チャネル毎に個別に扱うことができる。
【００３９】
なお、ＴＳ出力レートは、異なるチャネルにおいて同一の値に設定される場合もある。この場合は、チャネルに関わらず、最適となる（ノイズの影響を最も受けない）ＴＳ出力レートが同一であり、当該同一ＴＳ出力レートが出力レート設定テーブル３０に含まれている。
【００４０】
さらに、受信フロントエンド部２０をアルミ等の金属によりシールドすることにより、ノイズによる影響、例えば、出力機器（図示省略）に信号を伝送する高速伝送信号線（図示省略）等により発生するノイズによる影響を防止することができる。この場合、特にチューナＬＳＩ２２をシールドすることが好ましい。
【００４１】
また、本実施の形態では、ＯＦＤＭ−ＬＳＩ２４からＣＰＵ２６に信号を出力
するためのインターフェイスとしてＭＰＥＧ−２規格のＴＳインターフェイス３２のバスインターフェイスを使用しているがこれに限らず、復調、復合データを出力することができるバスであればよい。
【００４２】
また、本実施の形態では、受信装置１０が携帯電話である場合について説明したが、これに限らず、他のデジタル信号等を受信する受信装置であってもよい。
【００４３】
以上説明したように、本実施の形態の受信装置１０によれば、メモリ３０に予め記憶した出力レート設定テーブル３０に基づいて、受信したチャネル信号に対応する最適ＴＳ出力レートの制御情報をＣＰＵ２６がＯＦＤＭ−ＬＳＩ２４に送信し、ＯＦＤＭ−ＬＳＩ２４は最適出力レートを設定し、設定した最適出力レートにより信号を送信するので、受信装置内部で発生するノイズによる影響を低減することができる。特に出力バスが変化することによるノイズの影響を低減することができる。
【００４４】
［第２の実施の形態］
以下、図面を参照して本発明の実施の形態を詳細に説明する。図３は、本実施の形態に係る受信装置１４の概略構成の一例を示す構成図である。なお、本実施の形態では受信装置が携帯電話である場合について説明しているが、図３では説明に必要な部分のみ記載している。また、本実施の形態は、第１の実施の形態と略同様の構成及び動作であるので、同一部分には、同一符号を付して詳細な説明は省略する。
【００４５】
本実施の形態に係る受信装置１４は、チューナＬＳＩ２２とＯＦＤＭ−ＬＳＩ４２とを含む受信フロントエンド部（モジュール）４０、ＣＰＵ２６及びアンテナ３６を備えて構成されている。
【００４６】
本実施の形態のＯＦＤＭ−ＬＳＩ４２は、集積回路内に出力レート設定テーブル３０（出力レート設定テーブル３０が格納されたメモリ２８）を含んで構成されている。受信装置１４の設計段階で既に使用することがわかっているチューナＬＳＩ２２に関しては、ノイズの影響を受ける周波数がはっきりしているため、これに基づいた最適ＴＳ出力レートが予め出力レート設定テーブル３０に格納してある。
【００４７】
また、図３では図示を省略しているがＣＰＵ２６には、第１の実施の形態と同様にメモリ２８（出力レート設定テーブル３０）が接続されていてもよい。
【００４８】
次に、図４を参照して、本実施の形態の受信装置１４の動作を説明する。図４は、受信装置１４におけるＴＳ出力レート設定動作を説明するためのフローチャートである。
【００４９】
ＴＳ出力レート設定動作がスタートすると、まずステップ２００では、設定テーブルが有効であるか否か判断する。本実施の形態では、上述したように、出力レート設定テーブル３０には、設計段階で得られている最適ＴＳ出力レートを格納しているが、部品の交換等により、設計段階と最適ＴＳ出力レートが異なる場合等は出力レート設定テーブルは有効ではないため否定されて、ステップ２０２へ進む。
【００５０】
ステップ２０２では、他から放送信号のＴＳ出力レート設定テーブル３０（全チャネルに対応するＴＳ出力レート）を取得する。本実施の形態では、一例として、ＣＰＵ２６に第１の実施の形態と同様に接続されているメモリ２８（出力レート設定テーブル３０）から取得する。次のステップ２０４では、ＯＦＤＭ−ＬＳＩ４２の出力レート設定テーブル３０を取得した出力レート設定テーブルにより上書きする。これにより、ＯＦＤＭ−ＬＳＩ４２には、最適なＴＳ出力レートが格納された出力レート設定テーブル３０が記憶された状態になる。従って、次回ＴＳ出力レート設定動作を行なう場合は、上記ステップ２００で肯定判断されるようになる。
【００５１】
ステップ２００で肯定判断された場合は、ステップ２０６へ進む。ステップ２０６では、チャネル（放送信号）を受信したか否か判断する。受信しない場合は否定されて、待機状態になり、受信した場合は肯定されて、ステップ２０８へ進む。
【００５２】
ステップ２０８では、受信したチャネルに対応するＴＳ出力レートを出力レート設定テーブル３０から読取って、設定し、次のステップ２１０では、チューナＬＳＩ２２の受信チャネルを受信したチャネルに設定し、次のステップ２１２では、放送信号の受信を開始して、本処理を終了する。
【００５３】
以上説明したように、本実施の形態の受信装置１４によれば、ＯＦＤＭ−ＬＳＩ４２内部に出力レート設定テーブル３０が含まれており、これに基づいて受信したチャネル毎に最適なＴＳ出力レートを設定するので、ＣＰＵ２６による制御を受けない場合でも、最適ＴＳ出力レートの設定及びこれによる信号の送信をすることができる。従って、受信装置内部で発生するノイズによる影響を低減することができる。
【００５４】
また、上述のようにＣＰＵ２６によるＴＳ出力レートの制御を受けなくもよいので、放送波スキャン時においてもノイズの影響を低減することができる。放送波スキャンとは、チューナＬＳＩ２２により入力された信号を各チャネル毎に順番にスキャンし、信号を受信可能か否か判別して受信可能なチャネルを設定することであり、具体的には、例えば、特開２００４−１７９９２８号公報や特開２００５−３３３１９０号公報に記載された方法が挙げられるが、これに限られない。この放送波スキャン時は、受信フロントエンド部４０はＣＰＵ２６による制御を受けずに自律的に動作する。本実施の形態では、ＣＰＵ２６による制御を受けなくてもＴＳ出力レートを最適値に設定し、出力することができるので、放送波スキャン時においてもノイズの影響を低減することができるものである。
【００５５】
［第３の実施の形態］
以下、図面を参照して本発明の実施の形態を詳細に説明する。図５は、本実施の形態に係る受信装置１６の概略構成の一例を示す構成図である。本実施の形態では、ＴＳインターフェイス３２に起因するチューナＬＳＩ２２に対するノイズ放射の影響を低減するためのものである。
【００５６】
なお、本実施の形態では受信装置が携帯電話である場合について説明しているが、図５では説明に必要な部分のみ記載している。また、本実施の形態は、第１の実施の形態と略同様の構成及び動作であるので、同一部分には、同一符号を付して詳細な説明は省略する。
【００５７】
本実施の形態に係る受信装置１６は、チューナＬＳＩ２２とＯＦＤＭ−ＬＳＩ６２とを含む受信フロントエンド部（モジュール）６０、ＣＰＵ２６及びアンテナ３６を備えて構成されている。
【００５８】
本実施の形態のＯＦＤＭ−ＬＳＩ６２は、集積回路内にＴＳ出力レート制御部６４と、ＴＳインターフェイス６６と、を含んで構成されている。
【００５９】
ＴＳ出力レート制御部６４は、ＴＳインターフェイス６６がＴＳインターフェイス３２による信号を出力するＴＳ出力レートの制御を行なうものである。
【００６０】
なお、本実施の形態のＣＰＵ２６は、ＴＳ出力レートの可能範囲等の制御情報をＯＦＤＭ−ＬＳＩ６２に送信する（詳細後述）。
【００６１】
次に、図６を参照して、本実施の形態の受信装置１６の動作を説明する。図６は、受信装置１６におけるＴＳ出力レート設定動作を説明するためのフローチャートである。
【００６２】
ＴＳ出力レート設定動作がスタートすると、まずステップ３００では、ＴＳ出力レート可能範囲をＣＰＵ２６から送信される制御情報に基づいて設定する。ＴＳ出力レート可能範囲とは、本実施の形態の受信装置１６において、インターフェイスをとることができるＴＳ出力レートの範囲であり、予め得ておいたものである。
【００６３】
次のステップ３０２では、ＴＳ出力レートを初期値に設定する。なお本実施の形態では、初期値とは、例えば、ＴＳ出力レート可能範囲の最高値または、最低値等が挙げられるが、これに限らない。次のステップ３０４では、チューナＬＳＩ２２の受信チャネルを設定し、次のステップ３０６では、設定したチャネルの放送信号の受信を開始し、ステップ３０８へ進む。
【００６４】
ステップ３０８ではフラグが確認されたか否かを判断する。なお、本実施の形態では、チューナＬＳＩ２２からＯＦＤＭ−ＬＳＩ６２に送信される信号７０が安定しているか否かをＴＳ出力レート制御部６４で判断し、安定していると判断した場合にフラグが発生されるように構成されている。
【００６５】
ここで、チューナＬＳＩ２２からＯＦＤＭ−ＬＳＩ６２に送信される信号７０が安定しているか否かの判断の一例について図７及び図８を参照して詳細に説明する。
【００６６】
図７はチューナＬＳＩ２２からＯＦＤＭ−ＬＳＩ６２に送信される信号７０の安定状態の判断について説明するための説明図である。なお、図７に示したように、ＴＳインターフェイス３２に起因するチューナＬＳＩ２２に対するノイズ放射の影響を信号７０は受けるため、信号７０はノイズ特性による劣化を起こしてしまうが、信号７０の受信状態が安定しているか否かはノイズの有無に関わらずに判定する。
【００６７】
本実施の形態では、信号７０のＭＥＲ（Ｍｏｄｕｌａｔｉｏｎ  Ｅｒｒｏｒ  Ｒａｔｅ、変調誤差比）値により判定している。なお、ＭＥＲ値とは、復調したコンスタレーションにおいて、理想コンスタレーションポイントからベクトル誤差の電力換算値と、理想コンスタレーションポイントと、の電力比として定義される値である。本実施の形態における信号７０のＭＥＲ値の算出方法を図８に示す。図８に示した算出式を用いることによりＭＥＲ値を算出することができる。本実施の形態では、算出したＭＥＲ値が予め定められた安定範囲内にあるか否かにより判定する。安定範囲内にある場合は、受信状態が安定していると判定し、フラグを発生する。安定範囲外にある場合は、受信状態が安定していないと判定し、フラグを発生しない。なお、受信状態が安定していない場合は所定の時間経過後に再び、ＭＥＲ値の算出及び安定範囲内に有るか否かの判定を行なう。
【００６８】
また、ＭＥＲ値を所定のＴＳ出力レートにおいて複数回算出し、所定の回数以上安定範囲内にあるか否かにより判定することが好ましい。
【００６９】
そこで、フラグの発生を確認できない場合はステップ３０８で否定されて待機状態になる。一方、上記のようにして発生したフラグを確認した場合は肯定されてステップ３１０へ進む。
【００７０】
ステップ３１０では、チューナＬＳＩ２２の出力（信号７０）の信号品質情報の取得を開始する。なお、ここで信号品質情報とは、上記に一例を示したようにＭＥＲ値としてもよいがこれに限らず、例えば、ＳＮＲ値やＢＥＲ（Ｂｉｔ  Ｅｒｒｏｒ  Ｒａｔｅ）値等であってもよい。
【００７１】
次のステップ３１２では、一定時間が経過したか否かを判断する。予め定められた一定時間を経過するまでは否定されて、待機状態になる。一方、一定時間を経過した場合は肯定されて、ステップ３１４へ進む。ステップ３１４では、ＴＳ出力レート制御部６４はＯＦＤＭ−ＬＳＩ６２内の信号７０の信号品質情報を設定されているＴＳ出力レートと対応付けて、一次保持する。なお、ＴＳ出力レートを一定にした状態で、複数回、信号品質情報を取得し、その平均値を保持するようにすると好ましい。
【００７２】
次のステップ３１６ではＴＳ出力レートを変更する。なお、どの程度変更するか（どのような値にするか）は予め設定しておけばよい。そして次のステップ３１８では、変更されたＴＳ出力レートがステップ３００で設定されたＴＳ出力レート可能範囲内であるか否か判断する。範囲内である場合は肯定されて、ステップ３１０に戻り同様の処理を繰り返し、信号７０の信号品質情報を設定されているＴＳ出力レートと対応付けて、一次保持する。
【００７３】
一次保持されている信号７０の信号品質情報とＴＳ出力レートとの対応関係の一例を図９に示す。図９では、レート１〜４はそれぞれ異なるＴＳ出力レートであり、各々に対応して信号品質情報として平均ＭＥＲ値であるＲｅｓｕｌｔ（１）〜（４）が対応付けられ保持されている。
【００７４】
一方、ステップ３１８で変更されたＴＳ出力レートが範囲内にないと判断された場合は否定されて、ステップ３２０へ進む。ステップ３２０では信号品質が最良のＴＳ出力レートを選択する。本実施の形態では、図９に示したＲｅｓｕｌｔ（１）〜（４）のうち、最良の値、例えば、ノイズの影響を受けなかった場合を想定した理想値に近い値を選択し、つぎのステップ３２２では、選択したＴＳ出力レートに設定を固定する。これにより設定されたＴＳ出力レートによりＯＦＤＭ−ＬＳＩ６２から信号が出力される。
【００７５】
次のステップ３２４では、放送信号の受信を終了するか否か判断する。受信中は否定されて、ステップ３１０に戻り本処理を繰り返す。即ち、放送信号を受信中は最適出力レートの設定及び制御を繰り返す。一方、放送信号の受信を終了する場合は肯定されて、本処理を終了する。なお、本処理の終了後は図９に一例を示した一次保持した対応関係は消去される。
【００７６】
なお、本実施の形態では、ＯＦＤＭ−ＬＳＩ６２内部に設けられたＴＳ出力レート制御部６４により最適出力レートの設定及び制御を行なっているが、これに限らず、ＴＳ出力レート制御部６４はＯＦＤＭ−ＬＳＩ６２外部に設けてもよいし、受信フロントエンド部６０の外部に設けるようにしてもよい。
【００７７】
また、上記第１の実施の形態のように更に出力レート設定テーブルを備え、ＣＰＵ２６により制御するようにしてもよいし、第２の実施の形態のようにＯＦＤＭ−ＬＳＩ６２内部に出力レート設定テーブルを備えるようにしてもよい。この場合、信号放送を受信した場合のＴＳ出力レートの初期値の設定や信号７０が安定状態にならない場合の設定等に利用することができるので好ましい。
【００７８】
以上説明したように、本実施の形態の受信装置１６によれば、放送信号の受信中にＴＳ出力レート制御部６４により一定期間毎に最適ＴＳ出力レートを選択し、選択したＴＳ出力レートに設定し、信号を出力するように制御するので、リアルタイムに最適なＴＳ出力レートに設定することができる。従って、受信装置内部で発生するノイズによる影響を低減することができる。
【００７９】
また、本実施の形態では、ＴＳ出力レート制御部６４により最適ＴＳ出力レートを選択することができるので、出力レート設定テーブル（テーブルを格納するメモリ）を備えなくてよいため、その面積分の大きさを削減することが出できる。従って、受信装置１６を小型化することができる。
【００８０】
また、受信入力レベル等において、受信レベルの変動、フェージング等が起きている場合は、その後の信号品質を確認しても得られる結果が安定しないため、ＴＳ出力レートの選択を行なっても最適な値に設定できない場合が生じるため好ましくないが、本実施の形態では、信号７０が安定した場合にＴＳ出力レートの選択を行なっているため、ＴＳ出力レートを最適な値に設定することができる。
【図面の簡単な説明】
【００８１】
【図１】本発明の第１の実施の形態に係る受信装置の概略構成を示す構成図である。
【図２】本発明の第１の実施の形態に係る受信装置におけるＴＳ出力レート設定動作を説明するためのフローチャートである。
【図３】本発明の第２の実施の形態に係る受信装置の概略構成を示す構成図である。
【図４】本発明の第２の実施の形態に係る受信装置におけるＴＳ出力レート設定動作を説明するためのフローチャートである。
【図５】本発明の第３の実施の形態に係る受信装置の概略構成を示す構成図である。
【図６】本発明の第３の実施の形態に係る受信装置におけるＴＳ出力レート設定動作を説明するためのフローチャートである。
【図７】本発明の第３の実施の形態におけるチューナＬＳＩからＯＦＤＭ−ＬＳＩに送信される信号の安定状態の判断の一例について説明するための説明図である。
【図８】本発明の第３の実施の形態におけるチューナＬＳＩからＯＦＤＭ−ＬＳＩに送信される信号のＭＥＲ値の算出方法について説明するための説明図である。
【図９】本発明の第３の実施の形態において、一次保持されているチューナＬＳＩからＯＦＤＭ−ＬＳＩに送信される信号の信号品質情報とＴＳ出力レートとの対応関係の一例を説明するための説明図である。
【図１０】従来技術の携帯電話による内部ノイズの発生について説明するための説明図である。
【符号の説明】
【００８２】
１０、１４、１６  受信装置
２０、４０、６０  受信フロントエンド部（モジュール）
２２  チューナＬＳＩ
２４、４２、６２  ＯＦＤＭ−ＬＳＩ
２６  ＣＰＵ
２８  メモリ
３０  出力レート設定テーブル
３２  ＴＳ  Ｉ／Ｆ
６４  ＴＳ出力レート制御部
６６  ＴＳ  Ｉ／Ｆ
【図１】
2009094641.tif 000003
【図２】
2009094641.tif 000004
【図３】
2009094641.tif 000005
【図４】
2009094641.tif 000006
【図５】
2009094641.tif 000007
【図６】
2009094641.tif 000008
【図７】
2009094641.tif 000009
【図８】
2009094641.tif 000010
【図９】
2009094641.tif 000011
【図１０】
2009094641.tif 000012